【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
リレーシグナルの早期処理を促す方法であって、
リレーに関連付けられている、サブフレーム内のシグナルを受信することと、
前記サブフレーム内の第一リファレンスシンボルおよび第二リファレンスシンボルを検出することと、ここにおいて、前記第一リファレンスシンボルが前記第二リファレンスシンボルの前に検出される、
前記第一リファレンスシンボルに基づいて前記シグナルを復号化することと、
を有し、
前記シグナルが、リソースブロックの第一部分に含まれ、前記第一部分の後で受信される前記リソースブロックの第二部分に前記シグナルが繰り返される、前記方法。
【請求項２】
前記復号化することは、前記リソースブロックの前記第一部分による前記シグナルの復号化を試みることを有し、さらに、前記復号化することは、前記第一部分による前記シグナルの復号化が失敗した場合、前記リソースブロックの前記第二部分による前記シグナルの復号化を引き続き実行することを有する、請求項１の前記方法。
【請求項３】
前記復号化することは、さらに、前記シグナルに関連付けられているデータトーンに適用される電力の上昇を特定することを含み、前記第一リファレンスシンボルおよび前記第二リファレンスシンボルは電力の上昇から除外される、請求項１の前記方法。
【請求項４】
リレー物理ハイブリッド自動再送要求インジケータチャネルは、リレー物理ダウンリンク制御チャネル専用のリソースブロックで受信され、前記復号化することは、さらに、前記リレー物理ハイブリッド自動再送要求インジケータチャネルに関連付けられるリソースを一式のアップリンク許可または一式のダウンリンク許可の少なくとも一方を含む前記サブフレームの一部分に独占的にマッピングすることを有する、請求項１の前記方法。
【請求項５】
前記シグナルは一式のアップリンク許可および一式のダウンリンク許可を含み、前記一式のダウンリンク許可はリソースブロックの前記第一部分に含まれ、前記一式のアップリンク許可は前記リソースブロックの前記第二部分に含まれる、請求項１の前記方法。
【請求項６】
前記サブフレームは、純粋な周波数分割多重サブフレームである、請求項１の前記方法。
【請求項７】
リレーシグナルの早期処理を促す方法であって、
リレーに関連付けられている、サブフレーム内のシグナルを受信することと、
前記サブフレーム内の第一リファレンスシンボルおよび第二リファレンスシンボルを検出することと、前記第一リファレンスシンボルが前記第二リファレンスシンボルの前に検出される、
前記第一リファレンスシンボルに基づいて前記シグナルを復号化することと、
を有し、複数台のリレーにそれぞれ対応している複数個のシグナルは、リソースブロックに含まれ、前記シグナルが前記複数個のシグナルに含まれ、前記複数個のシグナルは前記リソースブロックの第一部分に含まれ、前記第一部分の後で受信される前記リソースブロックの第二部分で前記複数個のシグナルが繰り返される、前記方法。
【請求項８】
リレーシグナルの早期処理を促す方法であって、
リレーに関連付けられている、サブフレーム内のシグナルを受信することと、
前記サブフレーム内の第一リファレンスシンボルおよび第二リファレンスシンボルを検出することと、ここにおいて、前記第一リファレンスシンボルが前記第二リファレンスシンボルの前に検出される、
前記第一リファレンスシンボルに基づいて前記シグナルを復号化することと、
を有し、前記シグナルは、リソースブロックの第一部分に片寄って位置し、複数個のシグナルの残りは、前記第一部分の後で受信される前記リソースブロックの第二部分に片寄って位置する、前記方法。
【請求項９】
リレーシグナルの早期処理を促すように構成されている装置であって、
前記装置は、メモリに格納されているコンピュータ実行可能なコンポーネントを実行するように構成されているプロセッサを有し、
前記コンポーネントは、
リレーに関連付けられているサブフレーム内のシグナルを受信するように構成された通信コンポーネントと、
前記サブフレーム内の第一リファレンスシンボルおよび第二リファレンスシンボルを検出するように構成されたリファレンスコンポーネントと、ここにおいて、前記第一リファレンスシンボルが前記第二リファレンスシンボルの前に検出される、
前記第一リファレンスシンボルに基づいて前記シグナルを復号化するように構成された復号化コンポーネントと、を含み、前記シグナルは、リソースブロックの第一部分に含まれ、前記第一部分の後で受信される前記リソースブロックの第二部分に前記シグナルが繰り返される、前記装置。
【請求項１０】
前記復号化コンポーネントは、前記リソースブロックの前記第一部分による前記シグナルの復号化を試みるように構成され、さらに、前記復号化コンポーネントは、前記第一部分による前記シグナルの復号化が失敗した場合に、前記リソースブロックの前記第二部分による前記シグナルの復号化を引き続き実行するように構成される、請求項９の前記装置。
【請求項１１】
前記復号化コンポーネントは、前記シグナルに関連付けられるデータトーンに適用される電力の上昇を特定するように構成され、前記電力の上昇は前記第一リファレンスシンボルおよび前記第二リファレンスシンボルには適用されない、請求項９の前記装置。
【請求項１２】
前記通信コンポーネントは、リレー物理ダウンリンク制御チャネル専用のリソースブロックでリレー物理ハイブリッド自動再送要求インジケータチャネルを受信するように構成され、前記復号化コンポーネントは、前記リレー物理ハイブリッド自動再送要求インジケータチャネルに関連付けられるリソースを一式のアップリンク許可または一式のダウンリンク許可の少なくとも一方を含む前記サブフレームの一部分に独占的にマッピングするように構成される、請求項９の前記装置。
【請求項１３】
前記シグナルは一式のアップリンク許可および一式のダウンリンク許可を含み、前記一式のダウンリンク許可はリソースブロックの前記第一部分に含まれ、前記一式のアップリンク許可は前記第一部分の後で受信される前記リソースブロックの前記第二部分に含まれる、請求項９の前記装置。
【請求項１４】
リレーシグナルの早期処理を促すように構成されている装置であって、
前記装置は、メモリに格納されているコンピュータ実行可能なコンポーネントを実行するように構成されているプロセッサを有し、
前記コンポーネントは、
リレーに関連付けられているサブフレーム内のシグナルを受信するように構成された通信コンポーネントと、
前記サブフレーム内の第一リファレンスシンボルおよび第二リファレンスシンボルを検出するように構成されたリファレンスコンポーネントと、ここにおいて、前記第一リファレンスシンボルが前記第二リファレンスシンボルの前に検出される、
前記第一リファレンスシンボルに基づいて前記シグナルを復号化するように構成された復号化コンポーネントと、
を含み、複数台のリレーにそれぞれ対応している複数個のシグナルは、リソースブロックに含まれ、前記シグナルが前記複数個のシグナルに含まれ、前記複数個のシグナルは前記リソースブロックの第一部分に含まれ、前記第一部分の後で受信される前記リソースブロックの第二部分で前記複数個のシグナルが繰り返される、前記装置。
【請求項１５】
リレーシグナルの早期処理を促すように構成されている装置であって、
前記装置は、メモリに格納されているコンピュータ実行可能なコンポーネントを実行するように構成されているプロセッサを有し、
前記コンポーネントは、
リレーに関連付けられているサブフレーム内のシグナルを受信するように構成された通信コンポーネントと、
前記サブフレーム内の第一リファレンスシンボルおよび第二リファレンスシンボルを検出するように構成されたリファレンスコンポーネントと、ここにおいて、前記第一リファレンスシンボルが前記第二リファレンスシンボルの前に検出される、
前記第一リファレンスシンボルに基づいて前記シグナルを復号化するように構成された復号化コンポーネントと、
を含み、複数台のリレーにそれぞれ対応している複数個のシグナルは、リソースブロックに含まれ、前記シグナルが前記複数個のシグナルに含まれ、前記複数個のシグナルのうちの前記シグナルは前記リソースブロックの第一部分に片寄って位置し、前記複数個のシグナルの残りは前記第一部分の後で受信される前記リソースブロックの第二部分に片寄って位置する、前記装置。
【請求項１６】
リレーシグナルの早期処理を促す方法であって、
リレーに関連付けられているシグナルをサブフレーム内に生成することと、
第一リファレンスシンボルおよび第二リファレンスシンボルを前記サブフレーム内に供給することと、ここにおいて、前記第一リファレンスシンボルは前記第二リファレンスシンボルの前に供給される、
前記第一リファレンスシンボルに基づいて復号化可能である前記シグナルを前記リレーに伝送することと、
を有し、
前記生成することは、リソースブロックの第一部分に前記シグナルを含めることを有し、さらに、前記生成することは、前記第一部分の後で送信される前記リソースブロックの第二部分で前記シグナルを繰り返すことを有する、前記方法。
【請求項１７】
前記伝送することは、前記シグナルに関連付けられるデータトーンに電力の上昇を適用することを有し、前記電力の上昇は、前記第一リファレンスシンボルおよび前記第二リファレンスシンボルには適用されない、請求項１６の前記方法。
【請求項１８】
前記生成することは、リレー物理ダウンリンク制御チャネル専用のリソースブロックにリレー物理ハイブリッド自動再送要求インジケータチャネルを含めることを有する、請求項１６の前記方法。
【請求項１９】
前記生成することは、リレー物理ハイブリッド自動再送要求インジケータチャネルに関連付けられるリソースを一式のアップリンク許可または一式のダウンリンク許可の少なくとも一方を含む前記サブフレームの一部分のみにマッピングすることを有する、請求項１６の前記方法。
【請求項２０】
リレーシグナルの早期処理を促す方法であって、
リレーに関連付けられているシグナルをサブフレーム内に生成することと、
第一リファレンスシンボルおよび第二リファレンスシンボルを前記サブフレーム内に供給することと、ここにおいて、前記第一リファレンスシンボルは前記第二リファレンスシンボルの前に供給される、
前記第一リファレンスシンボルに基づいて復号化可能である前記シグナルを前記リレーに伝送することと、
を有し、前記生成することは、複数台のリレーにそれぞれ対応している複数個のシグナルをリソースブロックに含めることを有し、前記シグナルが前記複数個のシグナルに含まれ、前記生成することは、前記複数個のシグナルを前記リソースブロックの第一部分に含めることを有し、さらに、前記生成することは、前記第一部分の後で送信される前記リソースブロックの第二部分で前記複数個のシグナルを繰り返すことを有する、前記方法。
【請求項２１】
リレーシグナルの早期処理を促す方法であって、
リレーに関連付けられているシグナルをサブフレーム内に生成することと、
第一リファレンスシンボルおよび第二リファレンスシンボルを前記サブフレーム内に供給することと、ここにおいて、前記第一リファレンスシンボルは前記第二リファレンスシンボルの前に供給される、
前記第一リファレンスシンボルに基づいて復号化可能である前記シグナルを前記リレーに伝送することと、
を有し、前記生成することは、複数台のリレーにそれぞれ対応している複数個のシグナルをリソースブロックに含めることを有し、前記シグナルが前記複数個のシグナルに含まれ、前記生成することは、前記リソースブロックの第一部分に前記複数個のシグナルのうちの前記シグナルを片寄らせることを有し、前記複数個のシグナルの残りは、前記第一部分の後で送信される前記リソースブロックの第二部分に片寄って位置する、前記方法。
【請求項２２】
リレーシグナルの早期処理を促すように構成されている装置であって、
前記装置は、メモリに格納されるコンピュータ実行可能なコンポーネントを実行するように構成されるプロセッサを有し、
前記コンポーネントは、
リレーに関連付けられているシグナルをサブフレーム内に生成するように構成された生成コンポーネントと、
第一リファレンスシンボルおよび第二リファレンスシンボルをサブフレーム内に供給するように構成されたリファレンスコンポーネントと、ここにおいて、前記第一リファレンスシンボルが前記第二リファレンスシンボルの前に供給される、
前記第一リファレンスシンボルに基づいて復号化可能である前記シグナルを前記リレーに送信するように構成された通信コンポーネントと、
を含み、前記生成コンポーネントは、リソースブロックの第一部分に前記シグナルを含めるように構成され、前記生成コンポーネントは、前記第一部分の後で送信される前記リソースブロックの第二部分で前記シグナルを繰り返すように構成される、前記装置。
【請求項２３】
前記生成コンポーネントは、固有パラメータを前記シグナルに関連付けるように構成され、前記固有パラメータは、電力レベル、リソースレベル、または集約レベルの少なくとも一つである、請求項２２の前記装置。
【請求項２４】
前記通信コンポーネントは、前記シグナルに関連付けられているデータトーンに電力の上昇を適用するように構成され、前記電力の上昇は、前記第一リファレンスシンボルおよび前記第二リファレンスシンボルには適用されない、請求項２２の前記装置。
【請求項２５】
前記シグナルは一式のアップリンク許可および一式のダウンリンク許可を含み、前記生成コンポーネントは、前記一式のダウンリンク許可をリソースブロックの第一部分に含めるように構成され、前記第一部分の後で送信される前記リソースブロックの第二部分には前記一式のアップリンク許可が含まれる、請求項２２の前記装置。
【請求項２６】
前記生成コンポーネントは、リレー物理ダウンリンク制御チャネル専用のリソースブロックにリレー物理ハイブリッド自動再送要求インジケータチャネルを含めるように構成され、前記生成コンポーネントは、前記リレー物理ハイブリッド自動再送要求インジケータチャネルに関連付けられるリソースを一式のアップリンク許可または一式のダウンリンク許可の少なくとも一方を含む前記サブフレームの一部分のみにマッピングするように構成される、請求項２２の前記装置。
【請求項２７】
リレーシグナルの早期処理を促すように構成された装置であって、
前記装置は、メモリに格納されるコンピュータ実行可能なコンポーネントを実行するように構成されるプロセッサを有し、
前記コンポーネントは、
リレーに関連付けられているシグナルをサブフレーム内に生成するように構成された生成コンポーネントと、
第一リファレンスシンボルおよび第二リファレンスシンボルを前記サブフレーム内に供給するように構成されたリファレンスコンポーネントと、ここにおいて、前記第一リファレンスシンボルが前記第二リファレンスシンボルの前に供給される、
前記第一リファレンスシンボルに基づいて復号化可能である前記シグナルを前記リレーに送信するように構成された通信コンポーネントと
を含み、前記生成コンポーネントは、複数台のリレーにそれぞれ対応している複数個のシグナルをリソースブロックに含めるように構成され、前記シグナルは前記複数個のシグナルに含まれ、前記生成コンポーネントは、前記リソースブロックの第一部分に前記複数個のシグナルのうちの前記シグナルを片寄らせるように構成され、前記複数個のシグナルの残りは、前記第一部分の後で送信される前記リソースブロックの第二部分に片寄って位置する、前記装置。
【請求項２８】
リレーシグナルの早期処理を促すように構成された装置であって、
前記装置は、メモリに格納されるコンピュータ実行可能なコンポーネントを実行するように構成されるプロセッサを有し、
前記コンポーネントは、
リレーに関連付けられているシグナルをサブフレーム内に生成するように構成された生成コンポーネントと、
第一リファレンスシンボルおよび第二リファレンスシンボルを前記サブフレーム内に供給するように構成されたリファレンスコンポーネントと、ここにおいて、前記第一リファレンスシンボルが前記第二リファレンスシンボルの前に供給される、
前記第一リファレンスシンボルに基づいて復号化可能である前記シグナルを前記リレーに送信するように構成された通信コンポーネントと、
を含み、前記生成コンポーネントは、複数台のリレーにそれぞれ対応している複数個のシグナルをリソースブロックに含めるように構成され、前記シグナルは前記複数個のシグナルに含まれ、前記生成コンポーネントは、前記リソースブロックの第一部分に前記シグナルを含めるように構成され、異なるリレーに関連付けられている異なるシグナルは、前記第一部分の後に送信される前記リソースブロックの第二部分に含まれる、前記装置。
【請求項２９】
実行されたときに、少なくとも１つのコンピュータに、請求項１−８および／または請求項１６−２１のいずれかに記載の方法を実行させるためのコードを備える、コンピュータ可読記憶媒体。